(57)【特許請求の範囲】
【請求項１】
画像処理装置において、
入力画像データ内のエッジ部を検出するエッジ検出手段と、
前記エッジ部における内側部分と外側部分とを判別する内エッジ／外エッジ判別手段と、
入力画像データ内の網点領域を判別する網点領域判別手段と、
入力画像データ内の色画素と黒画素を判別する色／黒判別手段と、
前記内エッジ／外エッジ判別手段、網点領域判別手段、及び色／黒判別手段のそれぞれの判別結果に応じて、入力画像の注目画素に対し、
当該注目画素が網点領域及びエッジ部に属し、エッジ部の外側部分に位置するときにはエッジ強調処理を行わないこと、
当該注目画素が網点領域及びエッジ部に属しかつエッジ部の内側部分に位置するときであって色画素である場合にはエッジ強調処理を行わないこと、
当該注目画素が網点領域及びエッジ部に属しかつエッジ部の内側部分に位置するときであって黒画素である場合にはエッジ強調処理を行うこと、
当該注目画素が網点領域及び非エッジ部に属するときには平滑化処理を行うこと、
当該注目画素が網点領域に属さずエッジ部に属するときにはエッジ強調処理を行うこと、
当該注目画素が網点領域に属さず非エッジ部に属するときにはエッジ強調処理および平滑化処理を行わないこと、を選択する選択手段と、
前記選択手段により選択された処理内容に従って前記入力画像データについて補正処理がされた画素、及び前記入力画像データについてエッジ強調処理及び平滑化処理のいずれの補正処理もされていない画素を含む画像データを出力する画像補正手段と、
を有することを特徴とする画像処理装置。
【請求項２】
前記画像補正手段は、あらかじめ前記入力画像データをエッジ強調処理した出力画像データ、前記入力画像データを平滑化処理した出力画像データ、および前記入力画像データをエッジ強調処理も平滑化処理もしていない出力画像データを出力し、
前記選択手段は、前記画像補正手段の前記各出力画像データの中から、前記選択された処理内容に従って補正処理がされた画素、及びエッジ強調処理及び平滑化処理のいずれの補正処理もされていない画素を含む出力画像データを選択して出力させることを特徴とする請求項１記載の画像処理装置。
【請求項３】
画像処理方法において、
入力画像データ内のエッジ部を検出する段階と、
前記エッジ部における内側部分と外側部分とを判別する段階と、
入力画像データ内の網点領域を判別する段階と、
入力画像データ内の色画素と黒画素を判別する段階と、
それぞれの前記判別の結果に応じて、入力画像の注目画素に対し、
当該注目画素が網点領域及びエッジ部に属し、エッジ部の外側部分に位置するときにはエッジ強調処理を行わないこと、
当該注目画素が網点領域及びエッジ部に属しかつエッジ部の内側部分に位置するときであって色画素である場合にはエッジ強調処理を行わないこと、
当該注目画素が網点領域及びエッジ部に属しかつエッジ部の内側部分に位置するときであって黒画素である場合にはエッジ強調処理を行うこと、
当該注目画素が網点領域及び非エッジ部に属するときには平滑化処理を行うこと、
当該注目画素が網点領域に属さずエッジ部に属するときにはエッジ強調処理を行うこと、
当該注目画素が網点領域に属さず非エッジ部に属するときにはエッジ強調処理および平滑化処理を行わないこと、を選択する段階と、
前記選択する段階によって選択された処理内容に従って前記入力画像データが補正処理された画素及び補正処理されていない画素を含む画像データを出力する段階と、
を有することを特徴とする画像処理方法。
【請求項４】
前記選択する段階は、あらかじめ前記入力画像データをエッジ強調処理した出力画像データ、前記入力画像データを平滑化処理した出力画像データ、および前記入力画像データをエッジ強調処理も平滑化処理もしていない出力画像データの中から、前記選択された処理内容に従って補正処理がされた画素、及びエッジ強調処理及び平滑化処理のいずれの補正処理もされていない画素を含む出力画像データを選択し、
前記出力する段階は、前記選択された出力画像データを出力することを特徴とする請求項３記載の画像処理方法。
【請求項５】
画像処理手順を記憶したコンピュータ読み取り可能な記憶媒体であって、
入力画像データ内のエッジ部を検出する手順と、
前記エッジ部における内側部分と外側部分とを判別する手順と、
入力画像データ内の網点領域を判別する手順と、
入力画像データ内の色画素と黒画素を判別する手順と、
それぞれの前記判別の結果に応じて、入力画像の注目画素に対し、
当該注目画素が網点領域及びエッジ部に属し、エッジ部の外側部分に位置するときにはエッジ強調処理を行わないこと、
当該注目画素が網点領域及びエッジ部に属しかつエッジ部の内側部分に位置するときであって色画素である場合にはエッジ強調処理を行わないこと、
当該注目画素が網点領域及びエッジ部に属しかつエッジ部の内側部分に位置するときであって黒画素である場合にはエッジ強調処理を行うこと、
当該注目画素が網点領域及び非エッジ部に属するときには平滑化処理を行うこと、
当該注目画素が網点領域に属さずエッジ部に属するときにはエッジ強調処理を行うこと、
当該注目画素が網点領域に属さず非エッジ部に属するときにはエッジ強調処理および平滑化処理を行わないこと、を選択する手順と、
前記選択する手順によって選択された処理内容に従って前記入力画像データが補正処理された画素及び補正処理されていない画素を含む画像データを出力する手順と、
を記憶したことを特徴とするコンピュータ読み取り可能な記憶媒体。
【請求項６】
前記選択する手順は、あらかじめ前記入力画像データをエッジ強調処理した出力画像データ、前記入力画像データを平滑化処理した出力画像データ、および前記入力画像データをエッジ強調処理も平滑化もしていない出力画像データの中から、前記選択された処理内容に従って補正処理がされた画素、及びエッジ強調処理及び平滑化処理のいずれの補正処理もされていない画素を含む出力画像データを選択し、
前記出力する手順は、前記選択された出力画像データを出力することを特徴とする請求項５記載のコンピュータ読み取り可能な記憶媒体。
【発明の詳細な説明】
【０００１】
【発明の属する技術分野】
本発明は、画像処理装置、画像処理方法、および画像処理手順を記憶したコンピュータ読み取り可能な記憶媒体に関し、特に、網点領域内にある文字や細線などを補正するための画像処理装置、画像処理方法、および画像処理手順を記憶したコンピュータ読み取り可能な記憶媒体に関する。
【０００２】
【従来の技術】
従来より、画像処理の１つとして、スキャナで読み取った画像の文字や細線を鮮明に再現するためにエッジ強調が行われていた。エッジ強調は、エッジ内側部分（濃度の高い側）ではより濃度を高くし、外側部分（濃度の低い側）ではより濃度を低くすることによって、エッジを鮮明に再現する処理である（以降、エッジの内側部分を内エッジ、外側部分を外エッジと称する。また、図４は、一般的なエッジ強調を模式的に示したものである。図４Ａに示す原稿画像をスキャナで読み取ったデータは図４Ｂ中の破線で示されており、エッジ強調後のデータは図４Ｂ中の実線で示されている。）
しかしながら、このようなエッジ強調を、所定濃度を有する下地上の文字に施した場合には、外エッジの濃度を低くしてしまうため文字の周囲に白い縁取りができてしまうといった問題があった。
【０００３】
このような問題を解決するために、例えば特開平９−１３９８４３号公報記載の技術では、濃度を有する下地上の文字などにエッジ強調を施す場合には文字の外エッジ部分をその周辺画素の濃度の最小値に置き換えることによって文字の周囲に白い縁取りができるのを防止していた。
【０００４】
【発明が解決しようとする課題】
しかしながら、前述した文字の外エッジ部分をその周辺画素の濃度の最小値に置き換える技術では、多数の微小ドットからなる網点領域上に文字などが描かれている場合には、文字の外エッジ部分を網点間に存在する「白」に置き換えてしまうことになるので、文字の周囲に白い縁取りができてしまう（図５参照）。また、色の付いた微小ドットで網点領域が構成されており、その網点領域上に黒の文字などが描かれている場合には、文字のエッジを検出する際に文字に隣接する色付きのドットも文字のエッジとして検出してしまう。したがって、エッジ強調を行うと文字に隣接する微小ドットにもエッジ強調が施されることになり、文字のエッジに不要な色付きの微小ドットが目立ち、見栄えの悪い画像となってしまっていた（図６参照）。
【０００５】
本発明の目的は、網点領域上の文字などに対してエッジ強調を行ったときに、文字などの周囲に白い縁取りができたり、文字などのエッジで不要な色付きの微小ドットが目立つことのないようにする画像処理装置を提供することであり、また、このような画像処理方法、および画像処理手順を記憶したコンピュータ読み取り可能な記憶媒体を提供することである。
【０００６】
【課題を解決するための手段】
本発明の目的は、下記する手段により達成される。
【０００７】
（１）画像処理装置において、入力画像データ内のエッジ部を検出するエッジ検出手段と、前記エッジ部における内側部分と外側部分とを判別する内エッジ／外エッジ判別手段と、入力画像データ内の網点領域を判別する網点領域判別手段と、入力画像データ内の色画素と黒画素を判別する色／黒判別手段と、前記内エッジ／外エッジ判別手段、網点領域判別手段、及び色／黒判別手段のそれぞれの判別結果に応じて、入力画像の注目画素に対し、当該注目画素が網点領域及びエッジ部に属し、エッジ部の外側部分に位置するときにはエッジ強調処理を行わないこと、当該注目画素が網点領域及びエッジ部に属しかつエッジ部の内側部分に位置するときであって色画素である場合にはエッジ強調処理を行わないこと、当該注目画素が網点領域及びエッジ部に属しかつエッジ部の内側部分に位置するときであって黒画素である場合にはエッジ強調処理を行うこと、当該注目画素が網点領域及び非エッジ部に属するときには平滑化処理を行うこと、当該注目画素が網点領域に属さずエッジ部に属するときにはエッジ強調処理を行うこと、当該注目画素が網点領域に属さず非エッジ部に属するときにはエッジ強調処理および平滑化処理を行わないこと、を選択する選択手段と、前記選択手段により選択された処理内容に従って前記入力画像データが補正処理された画素及び補正処理されていない画素を含む画像データを出力する画像補正手段と、を有することを特徴とする画像処理装置。
（２）前記画像補正手段は、あらかじめ前記入力画像データをエッジ強調処理した出力画像データ、前記入力画像データを平滑化処理した出力画像データ、および前記入力画像データをエッジ強調処理も平滑化処理もしていない出力画像データを出力し、前記選択手段は、前記画像補正手段の前記各出力画像データの中から、前記選択された処理内容に従って補正処理がされた画素、及びエッジ強調処理及び平滑化処理のいずれの補正処理もされていない画素を含む出力画像データを選択して出力させることを特徴とする。
【００１０】
（３）画像処理方法において、入力画像データ内のエッジ部を検出する段階と、前記エッジ部における内側部分と外側部分とを判別する段階と、入力画像データ内の網点領域を判別する段階と、入力画像データ内の色画素と黒画素を判別する段階と、それぞれの前記判別の結果に応じて、入力画像の注目画素に対し、当該注目画素が網点領域及びエッジ部に属し、エッジ部の外側部分に位置するときにはエッジ強調処理を行わないこと、当該注目画素が網点領域及びエッジ部に属しかつエッジ部の内側部分に位置するときであって色画素である場合にはエッジ強調処理を行わないこと、当該注目画素が網点領域及びエッジ部に属しかつエッジ部の内側部分に位置するときであって黒画素である場合にはエッジ強調処理を行うこと、当該注目画素が網点領域及び非エッジ部に属するときには平滑化処理を行うこと、当該注目画素が網点領域に属さずエッジ部に属するときにはエッジ強調処理を行うこと、当該注目画素が網点領域に属さず非エッジ部に属するときにはエッジ強調処理および平滑化処理を行わないこと、を選択する段階と、前記選択する段階によって選択された処理内容に従って前記入力画像データが補正処理された画素及び補正処理されていない画素を含む画像データを出力する段階と、を有することを特徴とする画像処理方法。
（４）前記選択する段階は、あらかじめ前記入力画像データをエッジ強調処理した出力画像データ、前記入力画像データを平滑化処理した出力画像データ、および前記入力画像データをエッジ強調処理も平滑化処理もしていない出力画像データの中から、前記選択された処理内容に従って補正処理がされた画素、及びエッジ強調処理及び平滑化処理のいずれの補正処理もされていない画素を含む出力画像データを選択し、前記出力する段階は、前記選択された出力画像データを出力することを特徴とする。
【００１１】
（５）画像処理手順を記憶したコンピュータ読み取り可能な記憶媒体であって、入力画像データ内のエッジ部を検出する手順と、前記エッジ部における内側部分と外側部分とを判別する手順と、入力画像データ内の網点領域を判別する手順と、入力画像データ内の色画素と黒画素を判別する手順と、それぞれの前記判別の結果に応じて、入力画像の注目画素に対し、当該注目画素が網点領域及びエッジ部に属し、エッジ部の外側部分に位置するときにはエッジ強調処理を行わないこと、当該注目画素が網点領域及びエッジ部に属しかつエッジ部の内側部分に位置するときであって色画素である場合にはエッジ強調処理を行わないこと、当該注目画素が網点領域及びエッジ部に属しかつエッジ部の内側部分に位置するときであって黒画素である場合にはエッジ強調処理を行うこと、当該注目画素が網点領域及び非エッジ部に属するときには平滑化処理を行うこと、当該注目画素が網点領域に属さずエッジ部に属するときにはエッジ強調処理を行うこと、当該注目画素が網点領域に属さず非エッジ部に属するときにはエッジ強調処理および平滑化処理を行わないこと、を選択する手順と、前記選択する手順によって選択された処理内容に従って前記入力画像データが補正処理された画素及び補正処理されていない画素を含む画像データを出力する手順と、を記憶したことを特徴とするコンピュータ読み取り可能な記憶媒体。
（６）前記選択する手順は、あらかじめ前記入力画像データをエッジ強調処理した出力画像データ、前記入力画像データを平滑化処理した出力画像データ、および前記入力画像データをエッジ強調処理も平滑化もしていない出力画像データの中から、前記選択された処理内容に従って補正処理がされた画素、及びエッジ強調処理及び平滑化処理のいずれの補正処理もされていない画素を含む出力画像データを選択し、前記出力する手順は、前記選択された出力画像データを出力することを特徴とする。
【００１２】
【発明の実施の形態】
以下、添付した図面を参照して、本発明の実施の形態を説明する。
【００１３】
図１は、本実施形態であるデジタル複写機の画像処理部の構成を示すブロック図であり、図２は図１中に示される画像補正部１５と画像領域判別部１８のそれぞれ内部の構成を示すブロック図である。なお、このデジタル複写機における基本的な制御回路や機械的な構成については、通常のものと同様であるので、説明は省略する。
【００１４】
以下、図１および図２を参照して、画像処理動作を画像データの流れに沿って説明する。
【００１５】
デジタル複写機の画像処理部１は、スキャナ８０から出力されている画像データを、ＲＧＢ各色の画像データごとにメモリ１１に記憶する。記憶されたＲＧＢ各色の画像データは、プリンタ９０からの印刷タイミング信号に合わせて、メモリ１１から読み出され、ＬＯＧ変換部１２、ＲＧＢ→ＣＭＹ色変換部１３、ＵＣＲ／ＢＰ部１４を介してＣＭＹＫ各色の画像データに変換される。ＣＭＹＫ各色の画像データは、画像補正部１５に入力され、画像領域判別部１８の判別結果に応じて画像の補正処理が行われる（詳細後述）。なお、画像補正部１５においては、通常の画像補正と同様にガンマ補正なども行われる。解像度変換部１６では、スキャナ８０の読み取り解像度から、より高い解像度への変換が行われる。例えばスキャナ８０の読み取り解像度が３００ｄｐｉの場合、ディザ処理テーブルの解像度が２４００×６００ｄｐｉとすると３００×３００ｄｐｉの解像度が２４００×６００ｄｐｉの解像度へ変換される。解像度変換部１６から出力された多値の画像データは、ディザ処理部１７にてディザテーブルと比較され、２値の画像データに変換される。２値化された画像データは図示しないプリンタビデオインターフェースを介してプリンタ９０に出力される。
【００１６】
また、メモリ１１から読み出されたＲＧＢ各色の画像データは画像領域判別部１８にも入力される。
【００１７】
画像領域判別部１８では、まず、ＲＧＢ各色の画像データが明度算出部１８１に入力される。明度算出部１８１では、下記（１）式に基づいて、ＲＧＢ各色の画像データから明度データＶを算出する。
【００１８】
Ｖ＝ｋ１×Ｒ＋ｋ２×Ｇ＋ｋ３×Ｂ  …（１）
ただし、式中、ｋ１，ｋ２，ｋ３は定数である。
【００１９】
明度データは、エッジ判別部１８２に入力される。エッジ判別部１８２では、エッジ／非エッジ判別部１８２ａにて、明度データに基づいて各画素がエッジであるか非エッジであるか判別された後、エッジであると判別された画素については内エッジ／外エッジ判別部１８２ｂで内エッジであるか外エッジであるか判別される。
【００２０】
図３は、エッジ／非エッジ判別部１８２ａで用いられる微分フィルターを説明する図である。エッジ／非エッジ判別部１８２ａでは明度データの傾きを図３Ａで示される微分フィルターを用いて検出する。具体的には、明度データの傾きは図３Ｂに示されるＶ33を注目画素とする５×５領域の各画素の明度と図３Ａに示される微分フィルターの係数とを掛け合わせて得られた出力値Ｌとして求められる。
【００２１】
出力値Ｌは、下記（２）式で表される。
【００２２】
Ｌ＝（４×Ｖ33−Ｖ11−Ｖ15−Ｖ51−Ｖ55）／４  …（２）
この出力値Ｌは、その絶対値がエッジ部で大きく、平坦部では０となるので、エッジ／非エッジ判別部１８２ａでは、出力値Ｌの絶対値と予め設定されているしきい値とを比較して、出力値Ｌの絶対値がしきい値より大きければ、その時の注目画素をエッジであると判別する。
【００２３】
内エッジ／外エッジ判別部１８２ｂは、出力値Ｌの符号が正のとき注目画素が外エッジであると判別し、負のとき内エッジであると判別する。
【００２４】
最終的にエッジ判別部１８２から出力される判別結果は、内エッジ、外エッジ、およびエッジを検出しないときの平坦部を示す信号として総合判断部１８５へ入力される。
【００２５】
明度算出部１８１からの明度データは網点判別部１８３にも入力される。
【００２６】
網点判別部１８３では、注目画素が網点領域であるか否かを判別する。まず、注目画素が孤立点であるか否かを判別する。具体的には、例えば下記（３）式に示すように、注目画素の明度に対し、隣接する周辺画素ｉの明度が一定値（Ｖ１）以上高い場合に注目画素を孤立点とする。
【００２７】
（周辺画素ｉの明度−注目画素の明度）＞Ｖ１  …（３）
次に、注目画素を中心とした微小エリア、例えば２０×２０画素内で、孤立点と判別された画素の個数をカウントする。そして、カウントした孤立点の個数が一定個数、例えば３０個以上であれば注目画素を網点領域であると判別する。このような網点領域であるか否かの判別を全画素について行う。網点領域であるか否かの判別結果は、総合判断部１８５へ入力される。
【００２８】
なお、網点領域の判別には、このような孤立点を求める方法の他、背景や白地部を判別するなど様々な方法があり、本実施形態においても、孤立点を求める方法に代えてこれらの方法により行ってもよい。
【００２９】
画像領域判別部１８に入力されたＲＧＢ各色の画像データは、色／黒判別部１８４にも入力されて、ＲＧＢ各色の画像データから色画素か黒画素かの判別が行われる。この色／黒判別は、黒画素ではその階調値がＲ＝Ｇ＝Ｂであるので、例えば（ＲＧＢの最大値−ＲＧＢの最小値）≦しきい値、の場合は黒画素、一方、（ＲＧＢの最大値−ＲＧＢの最小値）＞しきい値、の場合には色画素と判別する。判別結果は総合判断部１８５に入力される。
【００３０】
総合判断部１８５は、エッジ判別部１８２、網点判別部１８３および色／黒判別部１８４のそれぞれの判別結果に基づき、エッジ強調および平滑化を行うか否か判断する。判断の結果、内エッジおよび／または外エッジを強調する場合はエッジ強調、網点領域を平滑化する場合は平滑化、どちらでもなければパススルーとする信号を出力する。総合判断部１８５からの信号出力は画像補正部１５のセレクタ１５４に入力される。
【００３１】
画像補正部１５には、画像データを平滑化する平滑化フィルター１５１、そのまま画像データを通過させるパススルー１５２、およびエッジ強調を行うエッジ強調回路１５３が備えられている。セレクタ１５４は、総合判断部１８５からの信号に応じて、エッジ強調の場合にはエッジ強調回路１５３からの画像データを出力し、平滑化の場合には平滑化フィルター１５１からの画像データを出力し、パススルーの場合にはパススルー１５２からの画像データを出力する。なお、エッジ強調はＣＭＹＫ各色の画像データごとにラプラシアン値（周辺画素との２次微分値）に係数をかけたものを加算する方法で行われる。
【００３２】
表１は総合判断部１８５の判断結果と画像補正との関係を示すものである。
【００３３】
【表１】
0004228466.tif 000002
【００３４】
表１から分かる通り、注目画素が非網点領域である場合には、色／黒判別結果に関係なく、内エッジと外エッジの双方に対してエッジ強調された画像データが出力される。非エッジであれば画像処理が施されていない画像データが出力される。また、非網点領域の外エッジに対しては、外エッジ強調を外エッジ周辺の画素濃度の最小値に置き換えるようにしてもよい。
【００３５】
一方、注目画素が網点領域である場合には、外エッジに対しては画像処理が施されていない画像データが出力される。したがって、文字などの周辺に白い縁取りは発生しない。内エッジに対しては黒のみエッジ強調された画像データが出力され、色の付いた内エッジに対しては画像処理が施されていない画像データが出力される。したがって、文字のエッジに不要な色付きの微小ドットが強調されて再現されることはない。
【００３６】
非エッジ（微小ドットで構成された領域）であれば、平滑化されたデータが出力される。したがって、網点領域におけるモアレの発生を防ぐことができる。
【００３７】
以上本発明を適用した実施形態を説明したが、本発明はこのような実施形態に限定されるものではない。例えば上記実施形態では、網点領域の外エッジに対しては何もせずにそのままの画像データを出力するようにしているが、これに代えて、全く強調を行わないのではなく、非網点領域において行う強調量よりは少ない程度の強調をかけるようにしてもよい。この場合には、網点の濃度が薄い場合に、強調量が少なければ文字エッジの外側に多少白い縁取りが発生したとしてもほとんど目立たないので、この少な目のエッジ強調により、文字をより鮮明にさせることができる。
【００３８】
また、エッジ強調は、補正処理部においてＣＭＹＫ各色の画像データに対して行われるが、このとき、ＣＭＹＫ各色の画像データごとに強調量を変更するようにしてもよい。この場合には、例えば黒の強調量を大きくして、その他の色の場合には強調量を少なくすることで、黒文字をより鮮明にすることができる。
【００３９】
さらに本発明は、単体で画像を読み取り、そのデータを画像処理した上で出力するスキャナなどの画像読取装置、あるいはパソコンなどのコンピュータにおいて画像処理を行う場合にも好適に適用することができる。スキャナ単体に適用する場合には、上述した実施形態とほぼ同様の画像処理部を持つことで実施可能であり、パソコンなどのコンピュータでは、上述した画像処理部における動作を手順として記憶した記録媒体を提供し、これをコンピュータによって読み取り、実行することで可能となる。
【００４０】
さらにまた、本発明は、当業者が本発明の技術思想の範囲内において適宜変形して実施できることは言うまでもない。
【００４１】
【発明の効果】
以上説明した本発明によれば、以下のような効果を奏する。
【００４２】
請求項１〜６記載の本発明によれば、エッジ部が網点領域に属するか否かに応じて、エッジ部の外側部分に対するエッジ強調を行うか否かを選択することとしたので、網点領域上の文字などにおいて、エッジ強調により文字周囲に白い縁取りが発生したり、また、文字に隣接する網点の微小ドットが強調されたりすることを防止するようにできる。また、エッジ部が網点領域に属する場合には、エッジ部の外側部分に対するエッジ強調を行わないようにしたので、網点領域上の文字において、エッジ強調を行ったときに、文字周囲に発生する白い縁取りを防止することができ、さらにエッジ部が網点領域に属し、かつ、色画素の場合には、エッジ部の内側部分に対するエッジ強調を行わないようにしたので、色の付いた微小ドットからなる網点領域上に黒い文字があるような場合に、文字周囲において、色の付いた微小ドットが強調されてしまうのを防止することができる。
【図面の簡単な説明】
【図１】  本発明を適用した実施形態に係るデジタル複写機の画像処理部の構成を示すブロック図である。
【図２】  上記画像処理部における画像補正部と画像領域判別部の構成を示すブロック図である。
【図３】  微分フィルターの一例を示す図面である。
【図４】  エッジ強調を説明するための図面である。
【図５】  色地の中の文字をエッジ強調したときの画像を説明するための図面である。
【図６】  網点領域の中の文字をエッジ強調したときの画像を説明するための図面である。
【符号の説明】
１…画像処理部、
１５…画像補正部、
１８…画像領域判別部、
１５１…平滑化フィルター、
１５２…パススルー、
１５３…エッジ強調回路、
１５４…セレクタ、
１８２…エッジ判別部、
１８２ａ…エッジ／非エッジ判別部、
１８２ｂ…内エッジ／外エッジ判別部、
１８３…網点判別部、
１８４…色／黒判別部、
１８５…総合判断部。
【図１】
0004228466.tif 000003
【図２】
0004228466.tif 000004
【図３】
0004228466.tif 000005
【図４】
0004228466.tif 000006
【図５】
0004228466.tif 000007
【図６】
0004228466.tif 000008